(57)【要約】【課題】本発明は同一シェル１６でコンタクト１４の内の１本をアースとして使用するか別のアース端子２０を使用するかを選択できるアース構造の提供。【解決手段】本目的のアース構造はコンタクト１４とハウジング１２とシェル１６とアース端子２０又はアースラグ１８とを備える電気コネクタ１０であって、シェル１６は嵌合溝４２と装着溝４４と結線部溝４６とが連通した貫通孔４８が設けられ、貫通孔４８にはアース端子２０を挿入する挿入溝５０とアース端子２０を保持する螺着部５２とハウジング１２と一体に取付るアースラグ１８を逃げる逃げ溝５１とハウジング１２のロック部３２と係合する係合部５３とを備え、ハウジング１２と一体に取付るアースラグ１８又は別のアース端子２０にも対応できるようにし、同一シェル１６でアースラグ１８又はアース端子２０と導通させることで達成。【選択図】  図２
2007294205.tif 000002
【特許請求の範囲】
【請求項１】
複数のコンタクトと、該コンタクトが保持・配列されるハウジングと、該ハウジングが保持されるシェルと、所要数のアース端子若しくはアースラグとを備える電気コネクタであって、前記アース端子若しくは前記アースラグと前記シェルとを導通させるアース構造において、
前記シェルは、相手コネクタ嵌合溝と前記ハウジング装着溝と結線部溝とが連通した貫通孔が設けられ、該貫通孔にはアース端子が挿入できる挿入溝と前記アース端子を保持するため螺着部と前記ハウジングと一体に取付られたアースラグを逃げるための逃げ溝と前記ハウジングのロック部と係合する係合部とを備え、
前記ハウジングと一体に取付られた前記アースラグ若しくは別の前記アース端子にも対応できるようにし、同一シェルで前記アースラグ若しくは前記アース端子と導通させることを特徴とするアース構造。
【請求項２】
前記アースラグが一体に取付られた前記ハウジングを前記シェルに前記結線部溝側より挿入し、前記ハウジングのロック部が前記シェルの係合部と係合した際に前記アースラグと前記シェルとが導通することを特徴とする請求項１記載のアース構造。
【請求項３】
前記ハウジングを前記シェルに前記結線部溝側より挿入し、前記ハウジングのロック部が前記シェルの係合部と係合した後に前記アース端子を前記シェルの挿入溝に挿入し、止めネジを前記螺着部に螺着することで前記アース端子と前記シェルとが導通することを特徴とする請求項１記載のアース構造。
【請求項４】
複数のコンタクトと、該コンタクトが保持・配列されるハウジングと、該ハウジングが保持されるシェルと、所要数のアース端子若しくはアースラグとを備える電気コネクタであって、前記アース端子若しくは前記アースラグと前記シェルとを導通させる電気コネクタにおいて、
前記シェルは、相手コネクタ嵌合溝と前記ハウジング装着溝と結線部溝とが連通した貫通孔が設けられ、該貫通孔にはアース端子が挿入できる挿入溝と前記アース端子を保持するため螺着部と前記ハウジングと一体に取付られたアースラグを逃げるための逃げ溝と前記ハウジングのロック部と係合する係合部とを備え、
前記ハウジングと一体に取付られた前記アースラグ若しくは別の前記アース端子にも対応できるようにし、同一シェルで前記アースラグ若しくは前記アース端子と導通させることを特徴とする電気コネクタ。
【請求項５】
前記アースラグが一体に取付られた前記ハウジングを前記シェルに前記結線部溝側より挿入し、前記ハウジングのロック部が前記シェルの係合部と係合した際に前記アースラグと前記シェルとが導通することを特徴とする請求項４記載の電気コネクタ。
【請求項６】
前記ハウジングを前記シェルに前記結線部溝側より挿入し、前記ハウジングのロック部が前記シェルの係合部と係合した後に前記アース端子を前記シェルの挿入溝に挿入し、止めネジを前記螺着部に螺着することで前記アース端子と前記シェルとが導通することを特徴とする請求項４記載の電気コネクタ。
【請求項７】
前記ハウジングの嵌合部中央に、溝若しくは突起を有するキーを配置し、前記キーに対応する位置に、相手コネクタには逆に突起若しくは溝を有するキーを配置し、前記ハウジングのキーと相手コネクタのキーとが係合することで誤挿入を防止することを特徴とする請求項４項記載の電気コネクタ。
【請求項８】
前記キーは、溝若しくは突起を回転できる手段により前記ハウジングに保持することを特徴とする請求項４〜７項のうちいずれか１項記載の電気コネクタ。
【発明の詳細な説明】
【技術分野】
【０００１】
本発明は、工作機械やロボット等に使用される電気コネクタに関するものであり、特に同一シェル構造でアース端子でもアースラグにでも対応できるようにしたアース構造に関するものである。
【背景技術】
【０００２】
一般的な電気コネクタとしては、少なくとも複数のコンタクトと該コンタクトを保持するハウジングと該ハウジングを保持するシェルとを備えている。また、前記電気コネクタには安全対策上の保護回路接続のために、アース端子若しくはアースラグと前記シェルとを導通させるアース構造がある。アース構造としては、次に示す特許文献１などがある。
【特許文献１】特公平７−８２８８９号の特許請求の範囲の請求項１には、シェルと、該シェル内に取り外し可能に挿入されたゴムインシュレータと、該ゴムインシュレータに複数備えられた中継コンタクトと、該中継コンタクトに各々着脱可能に嵌合する圧着用コンタクトと、上記中継コンタクトと上記圧着用コンタクトのいずれかの一つに装着されて上記シェルと電気的に接触するアースラグと、上記シェル内に取り外し可能に挿入され上記中継コンタクトと上記圧着用コンタクトとの嵌合を保持するフロントインシュレータと、上記シェル内に取り外し可能に挿入され上記圧着用コンタクトと係合して上記圧着用コンタクトを上記フロントインシュレータに係止させるリアインシュレータと、上記シェル内に取り外し可能に係止されて上記リアインシュレータを上記シェル内に係止するリティナリングと、上記シェル内に取り外し可能に備えられ相手側コネクタと当接するＯリングと、を有することを特徴とする防水コネクタについて開示されている。該公告公報（特公平７−８２８８９号）の図２、図３及び段落番号「００１４」には、アースラグを用いたアース構造について、「アースラグ９は０．５ｍｍ程度の角線をフォーミングしたものであって、このアースラグ９を中継ピン４′に装着すると、アースラグ９は、９ｂ部において中継ピン４′と圧接する。この中継ピン４′を備えたゴムインシュレータ５をシェル１に圧入すると、アースラグ９の９ａ部が、シェル１内に圧入され、この部分がシェル１の亜鉛メッキ上のクロメート被膜を破り、アースラグ９とシェル１の導通が得られる。尚、中継ピン４′とシェル１間の接触抵抗は０．１Ω以下と成っている。」と記載されている。
【発明の開示】
【発明が解決しようとする課題】
【０００３】
近年、安全規格対応のために、確実に前記シェルとのアース構造を取る必要が多くなってきている。そのため、特許文献１のように、一般的には所要数のコンタクトの内の１本（芯）をアースラグと接続させ、該アースラグと前記シェルとをさらに接触させることで、前記シェルとの導通を図り、アース構造としていることが多い。しかし、所要数あるコンタクトの内の１本をアース用として使用しなければならず、常に必要な信号用コンタクトの加えて、１本多くの配列を考慮しなければならないと言った煩わしさがあった。
また、客先からは、所要数のコンタクトの内の１本をアース用として使用するにしろ、前記コンタクトを簡単に前記ハウジングに挿抜でき、かつ、前記ハウジングを簡単に前記シェルに挿抜できる構造のものが要求されてきている。
さらに、客先によっては、所要数のコンタクトの内の１本をアース用として使用するか、または、別のアース端子を使用するかを、適宜選択し、客先でアースを取る作業を行いたいという要求も出てきている。
【０００４】
本発明は、このような従来の問題点に鑑みてなされたもので、簡単に前記コンタクトや前記ハウジングの挿抜ができ、同一シェルで、所要数のコンタクトの内の１本をアース用として使用するか、または、別のアース端子を使用するかを、適宜選択できるアース構造と電気コネクタを提供するものである。
【課題を解決するための手段】
【０００５】
上記目的のアース構造は、複数のコンタクト１４と、該コンタクト１４が保持・配列されるハウジング１２と、該ハウジング１２が保持されるシェル１６と、所要数のアース端子２０若しくはアースラグ１８とを備える電気コネクタ１０であって、前記アース端子２０若しくは前記アースラグ１８と前記シェル１６とを導通させるアース構造において、前記シェル１６は、相手コネクタ嵌合溝４２と前記ハウジング装着溝４４と結線部溝４６とが連通した貫通孔４８が設けられ、該貫通孔４８にはアース端子２０が挿入できる挿入溝５０と前記アース端子２０を保持するため螺着部５２と前記ハウジング１２と一体に取付られたアースラグ１８を逃げるための逃げ溝５１と前記ハウジング１２のロック部３２と係合する係合部５３とを備え、前記ハウジング１２と一体に取付られた前記アースラグ１８若しくは別の前記アース端子２０にも対応できるようにし、同一シェル１６で前記アースラグ１８若しくは前記アース端子２０と導通させることにより達成できる。
【０００６】
請求項２記載のアース構造は、前記アースラグ１８が一体に取付られた前記ハウジング１２を前記シェル１６に前記結線部溝４６側より挿入し、前記ハウジング１２のロック部３２が前記シェル１６の係合部５３と係合した際に前記アースラグ１８と前記シェル１６とが導通する。
請求項３記載のアース構造は、前記ハウジング１２を前記シェル１６に前記結線部溝４６側より挿入し、前記ハウジング１２のロック部３２が前記シェル１６の係合部５３と係合した後に前記アース端子２０を前記シェル１６の挿入溝５０に挿入し、止めネジ２４を前記螺着部５２に螺着することで前記アース端子２０と前記シェル１６とが導通する。
【０００７】
上記目的の電気コネクタ１０は、複数のコンタクト１４と、該コンタクト１４が保持・配列されるハウジング１２と、該ハウジング１２が保持されるシェル１６と、所要数のアース端子２０若しくはアースラグ１８とを備える電気コネクタ１０であって、前記アース端子２０若しくは前記アースラグ１８と前記シェル１６とを導通させる電気コネクタ１０において、前記シェル１６は、相手コネクタ嵌合溝４２と前記ハウジング装着溝４４と結線部溝４６とが連通した貫通孔４８が設けられ、該貫通孔４８にはアース端子２０が挿入できる挿入溝５０と前記アース端子２０を保持するため螺着部５２と前記ハウジング１２と一体に取付られたアースラグ１８を逃げるための逃げ溝５１と前記ハウジング１２のロック部３２と係合する係合部５３とを備え、前記ハウジング１２と一体に取付られた前記アースラグ１８若しくは別の前記アース端子２０にも対応できるようにし、同一シェル１６で前記アースラグ１８若しくは前記アース端子２０と導通させることにより達成できる。
【０００８】
請求項５記載の電気コネクタ１０は、前記アースラグ１８が一体に取付られた前記ハウジング１２を前記シェル１６に前記結線部溝４６側より挿入し、前記ハウジング１２のロック部３２が前記シェル１６の係合部５３と係合した際に前記アースラグ１８と前記シェル１６とが導通する。
また、請求項６記載の電気コネクタ１０は、前記ハウジング１２を前記シェル１６に前記結線部溝４６側より挿入し、前記ハウジング１２のロック部３２が前記シェル１６の係合部５３と係合した後に前記アース端子２０を前記シェル１６の挿入溝５０に挿入し、止めネジ２４を前記螺着部５２に螺着することで前記アース端子２０と前記シェル１６とが導通する。
請求項７記載の電気コネクタ１０は、前記ハウジング１２の嵌合部中央に、溝６８若しくは突起７２を有するキー６６を配置し、前記キー６６に対応する位置に、相手コネクタには逆に突起７２若しくは溝６８を有するキー７０を配置し、前記ハウジング１２のキー６６と相手コネクタのキー７０とが係合することで誤挿入を防止する。
さらに、請求項８記載の電気コネクタ１０には、前記キー６６が溝６８若しくは突起７２を回転できる手段により前記ハウジング１２に保持している。
【発明の効果】
【０００９】
以上の説明から明らかなように、本発明のアース構造によると、次のような優れた効果が得られる。
（１）複数のコンタクト１４と、該コンタクト１４が保持・配列されるハウジング１２と、該ハウジング１２が保持されるシェル１６と、所要数のアース端子２０若しくはアースラグ１８とを備える電気コネクタ１０であって、前記アース端子２０若しくは前記アースラグ１８と前記シェル１６とを導通させるアース構造において、前記シェル１６は、相手コネクタ嵌合溝４２と前記ハウジング装着溝４４と結線部溝４６とが連通した貫通孔４８が設けられ、該貫通孔４８にはアース端子２０が挿入できる挿入溝５０と前記アース端子２０を保持するため螺着部５２と前記ハウジング１２と一体に取付られたアースラグ１８を逃げるための逃げ溝５１と前記ハウジング１２のロック部３２と係合する係合部５３とを備え、前記ハウジング１２と一体に取付られた前記アースラグ１８若しくは別の前記アース端子２０にも対応できるようにし、同一シェル１６で前記アースラグ１８若しくは前記アース端子２０と導通させているので、簡単に前記コンタクト１４や前記ハウジング１２の挿抜ができ、同一シェル１６で、所要数のコンタクト１４の内の１本をアース用として使用するか、または、別のアース端子２０を使用するかを、客先において適宜選択でき、容易にアースをとることができる。
（２）請求項２記載のアース構造は、前記アースラグ１８が一体に取付られた前記ハウジング１２を前記シェル１６に前記結線部溝４６側より挿入し、前記ハウジング１２のロック部３２が前記シェル１６の係合部５３と係合した際に前記アースラグ１８と前記シェル１６とが導通しているので、簡単に前記コンタクト１６や前記ハウジング１２の挿抜ができ、同一シェル１６で、所要数のコンタクト１４の内の１本をアース用として使用することができ、容易にアースをとることができる。
（３）請求項３記載のアース構造は、前記ハウジング１２を前記シェル１６に前記結線部溝４６側より挿入し、前記ハウジング１２のロック部３２が前記シェル１６の係合部５３と係合した後に前記アース端子２０を前記シェル１６の挿入溝５０に挿入し、止めネジ２４を前記螺着部５２に螺着することで前記アース端子２０と前記シェル１６とが導通しているので、簡単に前記コンタクト１４や前記ハウジング１２の挿抜ができ、同一シェル１６で、別のアース端子を使用することができ、容易にアースをとることができる。
【００１０】
以上の説明から明らかなように、本発明の電気コネクタ１０によると、次のような優れた効果が得られる。
（４）複数のコンタクト１４と、該コンタクト１４が保持・配列されるハウジング１２と、該ハウジング１２が保持されるシェル１６と、所要数のアース端子２０若しくはアースラグ１８とを備える電気コネクタ１０であって、前記アース端子２０若しくは前記アースラグ１８と前記シェル１６とを導通させる電気コネクタ１０において、前記シェル１６は、相手コネクタ嵌合溝４２と前記ハウジング装着溝４４と結線部溝４６とが連通した貫通孔４８が設けられ、該貫通孔４８にはアース端子２０が挿入できる挿入溝５０と前記アース端子２０を保持するため螺着部５２と前記ハウジング１２と一体に取付られたアースラグ１８を逃げるための逃げ溝５１と前記ハウジング１２のロック部３２と係合する係合部５３とを備え、前記ハウジング１２と一体に取付られた前記アースラグ１８若しくは別の前記アース端子２０にも対応できるようにし、同一シェル１６で前記アースラグ１８若しくは前記アース端子２０と導通させているので、簡単に前記コンタクト１４や前記ハウジング１２の挿抜ができ、同一シェル１６で、所要数のコンタクト１４の内の１本をアース用として使用するか、または、別のアース端子２０を使用するかを、客先において適宜選択でき、容易にアースをとることができる。
（５）請求項５記載の電気コネクタ１０は、前記アースラグ１８が一体に取付られた前記ハウジング１２を前記シェル１６に前記結線部溝４６側より挿入し、前記ハウジング１２のロック部３２が前記シェル１６の係合部５３と係合した際に前記アースラグ１８と前記シェル１６とが導通しているので、簡単に前記コンタクト１４や前記ハウジング１２の挿抜ができ、同一シェル１６で、所要数のコンタクト１４の内の１本をアース用として使用することができ、容易にアースをとることができる。
（６）請求項６記載の電気コネクタ１０は、前記ハウジング１２を前記シェル１６に前記結線部溝４６側より挿入し、前記ハウジング１２のロック部３２が前記シェル１６の係合部５３と係合した後に前記アース端子２０を前記シェル１６の挿入溝５０に挿入し、止めネジ２４を前記螺着部５２に螺着することで前記アース端子２０と前記シェル１６とが導通しているので、簡単に前記コンタクト１４や前記ハウジング１２の挿抜ができ、同一シェル１６で、別のアース端子２０を使用することができ、容易にアースをとることができる。
（７）請求項７記載の電気コネクタ１０は、前記ハウジング１２の嵌合部中央に、溝６８若しくは突起７２を有するキー６６を配置し、前記キー６６に対応する位置に、相手コネクタには逆に突起７２若しくは溝６８を有するキー７０を配置し、前記ハウジング１２のキー６６と相手コネクタのキー７０とが係合することで誤挿入を防止しているので、簡単な構造で、前記電気コネクタ１０と相手コネクタとを嵌合する際に誤挿入することがなく、安定した接続を得ることができる。
（８）請求項８記載の電気コネクタ１０には、前記キー６６が溝６８若しくは突起７２を回転できる手段により前記ハウジング１２に保持しているので、適宜嵌合できる位置を選択できる。
【発明を実施するための最良の形態】
【００１１】
図１から図１０に基づいて、本発明のアース構造と該アース構造を用いた電気コネクタについて説明する。図１（Ａ）は嵌合部より見た電気コネクタの斜視図であり、（Ｂ）は結線部よりみた電気コネクタの斜視図である。図２（Ａ）はコンタクトの１本をアースとして用いた場合の電気コネクタの横断面図であり、（Ｂ）は別のアース端子を用いた場合の電気コネクタの横断面図である。図３シェルの横断面図である。図４（Ａ）はアースラグがある場合のハウジングの斜視図であり、（Ｂ）はそのハウジングの断面図である。図５（Ａ）はアースラグがない場合のハウジングの斜視図であり、（Ｂ）はそのハウジングの断面図である。図６はコンタクトの斜視図であり、図７はアースラグの斜視図である。図８はコンタクトとアースラグとを組み合わせた状態の斜視図である。図９（Ａ）はキーの斜視図であり、（Ｂ）は別のキー（図９（Ａ）に対応する）の斜視図である。図１０（Ａ）はアースラグ有りの別のハウジングの斜視図であり、（Ｂ）はアースラグ無しの別のハウジングの斜視図である。
本発明の電気コネクタ１０は、少なくともハウジング１２と複数のコンタクト１４とシェルとアースラグ１８若しくはアース端子２０とを備えている。
【００１２】
まず、本発明であるアース構造について説明する。ここでいうアース構造とは、安全対策やアース処理（シールド処理）等のために前記シェル１６とアースラグ１８（しいてはアースラグ１８を介して前記コンタクト１４のうちの１本）若しくはアース端子２０とを導通させることである。本発明のアース構造のポイントは、アースラグ１８（しいてはアースラグ１８を介して前記コンタクト１４のうちの１本）若しくはアース端子２０のどちらの構造にも対応できる同一のシェル１６を用いることで、所要数のコンタクト１４の内の１本をアース用として使用するか、または、別のアース端子２０を使用するかを、客先において適宜選択できるようにした点にある。アース構造を用いた電気コネクタ１０（構成部位を含めて）を説明した後に、それぞれのアース構造を説明する。
【００１３】
最初に、本発明のポイント部分であるシェル１６について説明する。該シェル１６は、金属製であり、公知技術の鋳造によって製作され、これらの材料としては、寸法安定性や加工性や強度などを考慮すると、亜鉛ダイキャストやアルミダイキャスト等を挙げることができる。本実施例では略円筒形をしている。
前記シェル１６は、相手コネクタ嵌合溝４２と前記ハウジング装着溝４４と結線部溝４６とが連通した貫通孔４８が設けられ、該貫通孔４８には前記アース端子２０が挿入できる挿入溝５０と前記アース端子２０を保持するため螺着部５２と前記ハウジング１２と一体に取付られた前記アースラグ１８を逃げるための逃げ溝５１と前記ハウジング１２のロック部３２と係合する係合部５３とを備えている。
【００１４】
前記嵌合溝４２は、相手物が入る部分であり、相手物の形状・大きさや前記シェル１６の強度等を考慮して適宜設計する。前記装着溝４４は前記ハウジング１２が装着される部分であり、その大きさ・形状は前記ハウジング１２の形状・大きさや前記シェル１６の強度等を考慮して適宜設計する。前記結線部溝４６は前記ケーブル２２の逃げ部であって、その大きさ・形状は結線するケーブル２２の径や前記シェル１６の強度等を考慮して適宜設計する。前記嵌合溝４２と前記装着溝４４と結線部溝４６は、相手物嵌合側からこの順で連通して配列し、貫通孔４８を形成している。
【００１５】
前記装着溝４４内には、前記ハウジング１２のロック部３２に対応する位置に、前記ロック部３２と係合する係合部５３が設けられている。前記係合部の形状は、前記ロック部３２と係合できればよく、簡便に前記ハウジング１２が前記シェル１６から抜去できることや前記シェル１６の強度や前記ハウジング１２の保持強度等を考慮して適宜設計する。
また、前記装着溝４４内には、前記ロック部３２の反対側に、前記アースラグ１８を使用した場合の逃げ部分である逃げ溝５１と、前記アース端子２０を使用した場合の前記アース端子２０が挿入される挿入溝５０及び止めネジ２４が螺着される螺着部５２とが設けられている。前記逃げ溝５１の大きさ・形状は前記アースラグ１８を逃げればよく、前記アースラグ１８の形状・大きさや前記アースラグ１８と前記シェル１６との接続性や前記シェル１６の強度等を考慮して適宜設計する。前記挿入溝５０の大きさ・形状は前記アース端子２０が入ればよく、前記アース端子２０の大きさ・形状や前記止めネジ２４で前記アース端子２０を前記シェル１６の螺着部５２に螺着した際の前記アース端子２０と前記シェル１６との接続性や前記シェル１６の強度等を考慮して適宜設計する。
【００１６】
次に、ハウジング１２について説明する。前記ハウジング１２は電気絶縁性のプラスチックであり、公知技術の射出成形によって製作され、これらの材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２は略筐体状をしており、主に、前記コンタクト１４が挿入される複数の挿入孔３０と前記シェル１６に保持するためのロック部３２と前記アースラグ１８の突出部５９が入るスリット部３３と相手物のコンタクトが入る嵌合部２８とを有している。前記嵌合部２８と前記挿入孔３０は連通しており、前記嵌合部２８内に前記コンタクト１４の接触部３４が突出するようになっておいる。
【００１７】
前記挿入孔３０内には、前記コンタクト１４のランスが引っ掛かる孔若しくは溝が設けられている。孔若しくは溝は前記コンタクト１４のランスが引っ掛かることや前記ハウジング１２の強度等を考慮して適宜設計する。
前記ロック部３２は前記シェル１６に前記ハウジング１２を保持・装着するためのものであり、前記ロック部３２が前記シェル１６の係合部５３に係合することで前記ハウジング１２は前記シェル１６に保持される。このような簡易なロック方式をとることで、前記シェル１６から前記ハウジング１２の挿抜が容易に行なえる。前記ロック部３２の形状や大きさは、このような役割やロック部３２のバネ性・強度や簡便性等を考慮して適宜設計している。
前記スリット部３３は、前記アースラグ１８の突出部５９が入ればよく、前記ハウジング１２の強度や前記突出部５９の挿入性等を考慮して適宜設計する。
【００１８】
次に、コンタクト１４について説明する。前記コンタクト１４は金属製であり、公知技術のプレス加工によって製作され、これらの材質としては、バネ性や導電性や加工性などを考慮すると、黄銅やベリリウム銅やリン青銅等を挙げることができる。
前記コンタクト１４は主に相手物と接触する接触部３４と前記ハウジング１２に保持される保持部３６と前記ケーブル２２と接続する結線部４０とを有している。前記接触部３４の形状及び大きさは相手物を考慮して適宜設計するが、本実施例では相手物がソケット形なので円筒形にしている。前記結線部４０は前記ケーブル２２と接続できればよく、圧着や圧接や半田付け等が接続方法としてあるが、本実施例では圧着によって接続している。前記保持部３６は前記ハウジング１２に保持できれば圧入や溶着や引っ掛け（ランス）でもよいが、本実施例では抜去し易いように引っ掛け（ランス）構造してている。つまり、引っ掛け（ランス）構造は、前記ハウジング１２に孔若しくは溝を設けて、前記コンタクト１４に加工時に切り起こし（ランス）を設けて、該ランスを孔若しくは溝に引っ掛ける構造である。これでは、簡単な治具を用いて、ランス部分を押すだけで、前記コンタクト１４を抜去できる。
【００１９】
次に、アースラグ１８について説明する。前記アースラグ１８は金属製であり、公知技術のプレス加工によって製作され、これらの材質としては、バネ性や導電性や加工性などを考慮すると、黄銅やベリリウム銅やリン青銅等を挙げることができる。前記アースラグ１８は前記コンタクト１４と接触し、かつ、前記シェル１６と接触することで、前記コンタクト１４と前記シェルとを導通させるためのものである。そのため、前記アースラグ１８は、少なくとも前記コンタクト１４が挿入されるコンタクト用挿入孔５８と前記コンタクト１４と接触するコンタクト用接触部６０と前記シェル１６に接触するシェル用接触部６２と前記ハウジング１２に固定するための固定部６４とを有している。
【００２０】
前記コンタクト用挿入孔５８は断面略Ｕ字形状をし、前記コンタクト１４を覆うようにし、その３面には前記コンタクト１４に接触するためのコンタクト用接触部６０が設けられている。前記コンタクト用接触部６０は内側に湾曲し、前記コンタクト１４に接触し易いようになっている。前記コンタクト挿入孔５８の３面に前記コンタクト用接触部を設けることで、確実に前記コンタクト１４を挟み込み、かつ、接触できるようになっている。前記コンタクト挿入孔５８の外側面両側には前記ハウジング１２の挿入孔３０に固定するための固定部が設けられている。本実施例では、圧入により固定している。
また、前記コンタクト挿入孔５８のほぼ垂直に略Ｕ字形状をした突出部５９が設けられ、その頂面に前記シェル１６と接触するシェル用接触部６２が設けられている。前記シェル用接触部６２は、前記シェル１６と接触するように中央部にスリットを入れ、交互逆湾曲させている。
【００２１】
次に、アース端子２０について説明する。前記アース端子２０は金属製であり、公知技術のプレス加工によって製作され、これらの材質としては、導電性や加工性などを考慮すると、黄銅やベリリウム銅やリン青銅等を挙げることができる。
前記アース端子２０は主に止めネジ２４が入る孔５４と前記ケーブル２２が接続される圧着部５６とを有している。前記孔５４は止めネジ２４が入ればよく、大きさは強度や加工性や接続性等を考慮して適宜設計する。前記圧着部５６は前記ケーブル２２と接続できればよく、圧着や圧接や半田付け等が接続方法としてあるが、本実施例では圧着によって接続している。
【００２２】
最後に、それぞれのアース構造について説明する。
まず最初に、前記アースラグ１８を用いたアース構造について説明する。
第一に、前記アースラグ１８を前記ハウジング１２に圧入等によって取り付ける。
第二に、前記ケーブル２２が結線された前記コンタクト１４を前記ハウジング１２の挿入孔３０に挿入する。挿入すると、前記アースラグ１８のコンタクト用接触部６０に前記コンタクト１４が接触し、前記アースラグ１８と前記コンタクト１４とが導通することになる。
第三に、第ニ状態のハウジング１２を前記シェル１６に結線部溝４６側より挿入する。挿入すると、前記ハウジング１２のロック部３２が前記シェル１６の係合部５３と係合することで前記ハウジング１２は前記シェル１６に保持され、このように保持されると前記アースラグ１８のシェル用接触部６２が前記シェル１６に接触し、前記アースラグ１８と前記シェルとが導通することになる。即ち、複数のコンタクト１４のうちの１本と前記シェル１６とが前記アースラグ１８を介して導通することに繋がる。
【００２３】
次に、前記アース端子２０を用いたアース構造について説明する。
第一に、前記ケーブル２２が結線された前記コンタクト１４を前記ハウジング１２の挿入孔３０に挿入し、この状態の前記ハウジング１２を前記シェル１６に結線部溝４６側より挿入し、挿入すると前記ハウジング１２のロック部３２が前記シェル１６の係合部５３と係合することで前記ハウジング１２は前記シェル１６に保持される。
第ニに、第一の状態のシェル１６に、前記ケーブル２２が結線された前記アース端子２０を結線部溝４６側より前記シェル１６の挿入溝５０に挿入する。
第三に、第ニ状態のものに、前記止めネジ２４を前記アース端子２０の孔５４に入れ、その状態で前記止めネジ２４を前記シェル１６の螺着部５２に螺着する。即ち、このように前記止めネジ２４によって前記アース端子２０が前記シェル１６に保持されると、前記アース端子２０と前記シェル１６とが導通することになる。
上述した２つのアース構造は、プラグ形状のハウジングにもレセプタクル形状のハウジングにも使用できることはいうまでもなく、また、雄形状のコンタクトにも雌形状のコンタクトにも使用できることもいうまでもなく、適宜選択して使用する。
【００２４】
最後に、誤挿入を防止するキーについて説明する。上述した電気コネクタ１０の前記ハウジング１２の嵌合部中央には、溝６８若しくは突起７２を有するキー６６が配置されている。本実施例では、図１のように図９（Ａ）の溝６８を有するキー６６が配置されている。また、相手コネクタ側（図示せず）には前記キー６６に対応する位置に電気コネクタ１０のキー６６とは逆に突起７２若しくは溝６８を有する図９（Ｂ）のようなキー７０が配置されている。つまり、本実施例の電気コネクタ１０と嵌合する相手コネクタには突起７２を有するキー７０が配置されている。前記電気コネクタ１０と相手コネクタとが嵌合する際には、前記キー６６の溝６８と前記キー７０の突起７２とが係合することで誤挿入防止ができるようになっている。
また、前記キー６６、７０が溝６８若しくは突起７２を回転できる手段により前記ハウジング１２に保持されている。このようにすることで、前記キー６６、７０は、前記ハウジング１２に適宜溝６８若しくは突起７２を位置する部分を選択し、配置することで嵌合できる位置を限定する構造にしている。
上述した前記ハウジング１２としては、図４や図５に示したようなものとは別に図１０のような構造のものでも上述したアース構造や電気コネクタや誤挿入防止のキーに言うまでもなく、対応することができる。つまり、図４や図５のハウジング１２は所謂プラグ側で、図１０は所謂レセプタクル側である。
【産業上の利用可能性】
【００２５】
本発明の活用例としては、工作機械やロボット等に使用される電気コネクタとして活用され、特に同一シェル構造でアース端子でもアースラグにでも対応できるようにしたアース構造に関するものである。
【図面の簡単な説明】
【００２６】
【図１】（Ａ）  嵌合部より見た電気コネクタの斜視図である。（Ｂ）  結線部よりみた電気コネクタの斜視図である。
【図２】（Ａ）  コンタクトの１本をアースとして用いた場合の電気コネクタの横断面図である。（Ｂ）  別のアース端子を用いた場合の電気コネクタの横断面図である。
【図３】シェルの横断面図である。
【図４】（Ａ）  アースラグがある場合のハウジングの斜視図である。（Ｂ）  そのハウジングの断面図である。
【図５】（Ａ）  アースラグがない場合のハウジングの斜視図である。（Ｂ）  そのハウジングの断面図である。
【図６】コンタクトの斜視図である。
【図７】アースラグの斜視図である。
【図８】コンタクトとアースラグとを組み合わせた状態の斜視図である。
【図９】（Ａ）  キーの斜視図である。（Ｂ）  別のキー（図９（Ａ）に対応する）の斜視図である。
【図１０】（Ａ）  アースラグ有りの別のハウジングの斜視図である。（Ｂ）  アースラグ無しの別のハウジングの斜視図である。
【符号の説明】
【００２７】
１０        電気コネクタ
１２、７４  ハウジング
１４        コンタクト
１６        シェル
１８        アースラグ
２０        アース端子
２２        ケーブル
２４        止めネジ
２８        嵌合部
３０        挿入孔
３１        アースラグ挿入部
３２        ロック部
３３        スリット部
３４        接触部
３６        保持部
４０        結線部
４２        嵌合溝
４４        装着溝
４６        結線部溝
４８        貫通孔
５０        挿入溝
５１        逃げ溝
５２        螺着部
５３        係合部
５４        孔
５６        圧着部
５８        コンタクト用挿入孔
５９        突出部
６０        コンタクト用接触部
６２        シェル用接触部
６４        固定部
６６、７０  キー
６８        溝
７２        突起
【図１】
2007294205.tif 000003
【図２】
2007294205.tif 000004
【図３】
2007294205.tif 000005
【図４】
2007294205.tif 000006
【図５】
2007294205.tif 000007
【図６】
2007294205.tif 000008
【図７】
2007294205.tif 000009
【図８】
2007294205.tif 000010
【図９】
2007294205.tif 000011
【図１０】
2007294205.tif 000012